【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
第１の蠕動ポンプロータと第２の蠕動ポンプロータとを伴うコンソールを有する外科手術用流体管理システムと併用するための使い捨てカセットであって、前記カセットは、
筐体と、
前記筐体内に位置し、前記カセットが前記コンソール上に搭載されるとき、前記第１の蠕動ポンプロータに係合するように構成されている、第１の可撓性管と、
前記筐体内に位置し、前記カセットが前記コンソール上に搭載されるとき、前記第２の蠕動ポンプロータに係合するように構成されている、第２の可撓性管と
を備える、使い捨てカセット。
【請求項２】
前記カセットが前記コンソール上に搭載されるとき、前記筐体を前記蠕動ポンプと係合するように取外可能に係止するために、前記筐体によって担持された係止機構をさらに備える、請求項１に記載の使い捨てカセット。
【請求項３】
前記係止機構は、前記カセットが前記コンソール上に搭載される際、前記第１および第２の可撓性管を前記第１および第２のロータと整合させるために、前記コンソール上の整合構成要素に係合する、前記筐体上の整合要素を含む、請求項１〜２のうちのいずれかに記載の使い捨てカセット。
【請求項４】
前記筐体上の整合要素は、スロットを備え、前記コンソール上の整合構成要素は、前記カセットが前記コンソール上に搭載される際、前記スロット中に受容されるように構成された支柱を備える、請求項３に記載の使い捨てカセット。
【請求項５】
前記係止機構は、前記カセットが前記コンソール上に搭載される際、前記コンソール上の電動式カムに係合し、前記カセットを自動的に定位置に係止するように構成されている、前記筐体上のカム従動子構造を含む、請求項４に記載の使い捨てカセット。
【請求項６】
前記第１および第２の可撓性管のうちの少なくとも１つの上に感知窓をさらに備え、前記少なくとも１つの感知窓は、前記カセットが前記コンソール上に搭載されるとき、前記コンソール上のセンサと整合するように位置付けられている、請求項１〜５のうちのいずれかに記載の使い捨てカセット。
【請求項７】
前記感知窓は、前記カセットが前記コンソール上に搭載されるとき、圧力センサに近接して置かれるように位置付けられている、前記少なくとも１つの可撓性管の壁に形成された圧力応答領域を備える、請求項６に記載の使い捨てカセット。
【請求項８】
前記カセットが前記コンソール上に搭載されるとき、前記コンソール上の電気接触アレイとの電気接触を成すように位置付けられている、前記カセット筐体上の電気接触アレイをさらに備える、請求項１〜７のうちのいずれかに記載の使い捨てカセット。
【請求項９】
前記電気接触アレイは、前記カセットが前記コンソール上に搭載されるとき、前記コンソールが前記カセットを認識することを可能にするカセット識別情報を含む、請求項８に記載の使い捨てカセット。
【請求項１０】
前記カセットが前記コンソール上に搭載されるとき、前記第１の可撓性管は、前記第１の蠕動ポンプロータにわたって受容されるように構成されているループ部分と、前記筐体から外向きに延在し、外部接続を可能にする脚部の対とを含み、前記第２の可撓性管は、前記第２の蠕動ポンプロータにわたって受容されるように構成されているループ部分と、前記筐体から外向きに延在し、外部接続を可能にする脚部の対とを含む、請求項１〜９のうちのいずれかに記載の使い捨てカセット。
【請求項１１】
前記筐体は、中心平面を画定し、前記第１および第２の可撓性管のループ部分は、前記中心平面に平行なループ平面内に配置され、前記第１および第２の可撓性管の脚部の対は、前記中心平面に平行な脚部平面内に配置され、前記ループ平面および前記脚部平面は、前記中心平面に垂直な方向において相互にオフセットされている、請求項１０に記載の使い捨てカセット。
【請求項１２】
前記第１および第２の可撓性管のループ部分は、前記第１および第２の可撓性管のそれぞれの脚部と共通平面内で入れ子にされている、請求項１０に記載の使い捨てカセット。
【請求項１３】
請求項１〜１２のうちのいずれかに記載の使い捨てカセットと併用するためのコンソールであって、前記コンソールは、
表面を有する封入体と、
前記カセットが前記コンソール上に搭載されるとき、前記第１の可撓性管に係合するように構成されている、前記表面上の第１の蠕動ポンプロータと、
前記カセットが前記コンソール上に搭載されるとき、前記第２の可撓性管に係合するように構成されている、前記表面上の第２の蠕動ポンプロータと
を備える、コンソール。
【請求項１４】
前記カセットが前記コンソール上に搭載されるとき、前記封入体をカセット筐体と係合するように取外可能に係止するために、前記封入体によって担持された係止機構をさらに備える、請求項１３に記載のコンソール。
【請求項１５】
前記係止機構は、前記カセットが前記コンソール上に搭載される際、前記第１および第２の可撓性ロータを前記第１および第２の管と整合させるために、前記カセット筐体上の整合要素に係合するように構成されている、前記コンソール上の整合構成要素を含み、前記筐体上の整合要素は、スロットを任意的に備え、前記コンソール上の整合構成要素は、前記カセットが前記コンソール上に搭載される際、前記スロット中に受容されるように構成された支柱を備え、前記係止機構は、前記カセットが前記コンソール上に搭載される際、前記カセットの筐体上のカム従動子構造に係合し、前記カセットを自動的に定位置に係止するように構成されている、電動式カムを任意的に含む、請求項１４に記載のコンソール。
【手続補正２】
【補正対象書類名】明細書
【補正対象項目名】００２２
【補正方法】変更
【補正の内容】
【００２２】
さらに他の実施形態では、電気接点が、電力、情報、または他の電気信号を提供するために、カセット上の電気接触アレイとコンソール上の電気接触アレイとの間に形成され得る。
本願明細書は、例えば、以下の項目も提供する。
（項目１）
第１の蠕動ポンプロータと第２の蠕動ポンプロータとを伴うコンソールを有する外科手術用流体管理システムと併用するための使い捨てカセットであって、前記カセットは、
筐体と、
前記筐体内に位置し、前記カセットが前記コンソール上に搭載されるとき、前記第１の蠕動ポンプロータに係合するように構成されている、第１の可撓性管と、
前記筐体内に位置し、前記カセットが前記コンソール上に搭載されるとき、前記第２の蠕動ポンプロータに係合するように構成されている、第２の可撓性管と
を備える、使い捨てカセット。
（項目２）
前記カセットが前記コンソール上に搭載されるとき、前記筐体を前記蠕動ポンプと係合するように取外可能に係止するために、前記筐体によって担持された係止機構をさらに備える、項目１に記載の使い捨てカセット。
（項目３）
前記係止機構は、前記カセットが前記コンソール上に搭載される際、前記第１および第２の可撓性管を前記第１および第２のロータと整合させるために、前記コンソール上の整合構成要素に係合する、前記筐体上の整合要素を含む、項目１に記載の使い捨てカセット。
（項目４）
前記筐体上の整合要素は、スロットを備え、前記コンソール上の整合構成要素は、前記カセットが前記コンソール上に搭載される際、前記スロット中に受容されるように構成された支柱を備える、項目３に記載の使い捨てカセット。
（項目５）
前記係止機構は、前記カセットが前記コンソール上に搭載される際、前記コンソール上の電動式カムに係合し、前記カセットを自動的に定位置に係止するように構成されている、前記筐体上のカム従動子構造を含む、項目４に記載の使い捨てカセット。
（項目６）
前記第１および第２の可撓性管のうちの少なくとも１つの上に感知窓をさらに備え、前記少なくとも１つの感知窓は、前記カセットが前記コンソール上に搭載されるとき、前記コンソール上のセンサと整合するように位置付けられている、項目１に記載の使い捨てカセット。
（項目７）
前記感知窓は、前記カセットが前記コンソール上に搭載されるとき、圧力センサに近接して置かれるように位置付けられている、前記少なくとも１つの可撓性管の壁に形成された圧力応答領域を備える、項目６に記載の使い捨てカセット。
（項目８）
前記カセットが前記コンソール上に搭載されるとき、前記コンソール上の電気接触アレイとの電気接触を成すように位置付けられている、前記カセット筐体上の電気接触アレイをさらに備える、項目１に記載の使い捨てカセット。
（項目９）
前記電気接触アレイは、前記カセットが前記コンソール上に搭載されるとき、前記コンソールが前記カセットを認識することを可能にするカセット識別情報を含む、項目８に記載の使い捨てカセット。
（項目１０）
前記カセットが前記コンソール上に搭載されるとき、前記第１の可撓性管は、前記第１の蠕動ポンプロータにわたって受容されるように構成されているループ部分と、前記筐体から外向きに延在し、外部接続を可能にする脚部の対とを含み、前記第２の可撓性管は、前記第２の蠕動ポンプロータにわたって受容されるように構成されているループ部分と、前記筐体から外向きに延在し、外部接続を可能にする脚部の対とを含む、項目１に記載の使い捨てカセット。
（項目１１）
前記筐体は、中心平面を画定し、前記第１および第２の可撓性管のループ部分は、前記中心平面に平行なループ平面内に配置され、前記第１および第２の可撓性管の脚部の対は、前記中心平面に平行な脚部平面内に配置され、前記ループ平面および前記脚部平面は、前記中心平面に垂直な方向において相互にオフセットされている、項目１０に記載の使い捨てカセット。
（項目１２）
前記第１および第２の可撓性管のループ部分は、前記第１および第２の可撓性管のそれぞれの脚部と共通平面内で入れ子にされている、項目１０に記載の使い捨てカセット。
（項目１３）
第１および第２の可撓性管を有する一体型管類カセットと併用するためのコンソールであって、前記コンソールは、
表面を有する封入体と、
前記カセットが前記コンソール上に搭載されるとき、前記第１の可撓性管に係合するように構成されている、前記表面上の第１の蠕動ポンプロータと、
前記カセットが前記コンソール上に搭載されるとき、前記第２の可撓性管に係合するように構成されている、前記表面上の第２の蠕動ポンプロータと
を備える、コンソール。
（項目１４）
前記カセットが前記コンソール上に搭載されるとき、前記封入体をカセット筐体と係合するように取外可能に係止するために、前記封入体によって担持された係止機構をさらに備える、項目１３に記載のコンソール。
（項目１５）
前記係止機構は、前記カセットが前記コンソール上に搭載される際、前記第１および第２の可撓性ロータを前記第１および第２の管と整合させるために、前記カセット筐体上の整合要素に係合するように構成されている、前記コンソール上の整合構成要素を含む、項目１４に記載のコンソール。
（項目１６）
前記筐体上の整合要素は、スロットを備え、前記コンソール上の整合構成要素は、前記カセットが前記コンソール上に搭載される際、前記スロット中に受容されるように構成された支柱を備える、項目１５に記載のコンソール。
（項目１７）
前記係止機構は、前記カセットが前記コンソール上に搭載される際、前記カセットの筐体上のカム従動子構造に係合し、前記カセットを自動的に定位置に係止するように構成されている、電動式カムを含む、項目１６に記載のコンソール。
（項目１８）
前記カセットが前記コンソール上に搭載されるとき、前記カセットの第１および第２の可撓性管のうちの少なくとも１つにおける感知窓と整合するように構成されたセンサをさらに備える、項目１３に記載のコンソール。
（項目１９）
前記センサは、前記カセットが前記コンソール上に搭載されるとき、圧力センサに近接して置かれるように位置付けられる、前記少なくとも１つの可撓性管の壁に形成された圧力応答領域を含む感知窓を通して圧力を感知するように構成されている、圧力センサである、項目１８に記載のコンソール。
（項目２０）
前記カセットが前記コンソール上に搭載されるとき、カセット筐体上の電気接触アレイとの電気接触を成すように位置付けられた電気接触アレイをさらに備える、項目１３に記載のコンソール。
（項目２１）
前記カセット上の電気接触アレイは、前記カセットが前記コンソール上に搭載されるとき、前記コンソールが前記カセットを認識することを可能にするカセット識別情報を含む、項目２０に記載のコンソール。
（項目２２）
前記封入体に結合され、流体バッグを懸下するために構成された伸長柱と、前記流体バッグの含有量を計量するように適合された荷重センサとをさらに備える、項目１３に記載のコンソール。
（項目２３）
前記第１の蠕動ポンプロータおよび前記第２の蠕動ポンプロータは、前記第１の可撓性管のループ部分および前記第２の可撓性管のループ部分に係合するように構成され、前記第１および第２の可撓性管のループ部分は、前記カセットの中心平面に平行なループ平面内に配置され、前記第１および第２の可撓性管の脚部の対は、前記中心平面に平行な脚部平面内に配置され、前記ループ平面および前記脚部平面は、前記中心平面に垂直な方向において相互にオフセットされている、項目１３に記載のコンソール。
（項目２４）
前記第１の蠕動ポンプロータおよび前記第２の蠕動ポンプロータは、前記第１の可撓性管のループ部分および前記第２の可撓性管のループ部分に係合するように構成され、前記第１および第２の可撓性管のループ部分は、前記第１および第２の可撓性管のそれぞれの脚部と共通平面内で入れ子にされている、項目１３に記載のコンソール。
（項目２５）
管セットをロータポンプコンソール上に搭載するための方法であって、前記方法は、
第１および第２の可撓性管を有する管類カセットを提供することと、
表面を伴う封入体と、前記表面上の第１の蠕動ポンプロータと、前記表面上の第２の蠕動ポンプロータとを有するロータポンプコンソールを提供することであって、前記第１の蠕動ポンプロータおよび前記第２の蠕動ポンプロータは、前記カセットがコンソール筐体上に搭載されるとき、前記第１および第２の可撓性管に係合するように構成されている、ことと、
前記第１の可撓性管が、前記第１の蠕動ポンプロータに係合し、前記第２の可撓性管が、前記第２の蠕動ポンプロータに係合するように、前記カセットを前記封入体の表面上に搭載することと
を含む、方法。
（項目２６）
前記第１の蠕動ポンプロータおよび前記第２の蠕動ポンプロータは、前記第１の可撓性管のループ部分および前記第２の可撓性管のループ部分に係合し、前記第１および第２の可撓性管のループ部分は、前記カセットの中心平面に平行なループ平面内に配置され、前記第１および第２の可撓性管の脚部の対は、前記中心平面に平行な脚部平面内に配置され、前記ループ平面および前記脚部平面は、前記中心平面に垂直な方向において相互にオフセットされている、項目２４に記載の方法。
（項目２７）
前記第１の蠕動ポンプロータおよび前記第２の蠕動ポンプロータは、前記第１の可撓性管のループ部分および前記第２の可撓性管のループ部分に係合し、前記第１および第２の可撓性管のループ部分は、前記第１および第２の可撓性管のそれぞれの脚部と共通平面内で入れ子にされている、項目２４に記載の方法。
（項目２８）
前記カセットが前記コンソール上に搭載されるとき、前記封入体をカセット筐体と係合するように取外可能に係止することをさらに含む、項目２４に記載の方法。
（項目２９）
係止することは、前記カセットが前記コンソール上に搭載される際、前記第１および第２の可撓性ロータを前記第１および第２の管と整合させるために、前記コンソール上の整合構成要素を前記カセット上の整合要素と係合することを含む、項目２４に記載の方法。
（項目３０）
前記筐体上の整合要素は、スロットを備え、前記コンソール上の整合構成要素は、支柱を備え、前記係止することは、前記支柱を前記スロットに挿入することを含む、項目２８に記載の方法。
（項目３１）
係止することはさらに、前記カセットが前記コンソール上に搭載される際、前記カセットの筐体上のカム従動子構造に係合させ、前記カセットを自動的に定位置に係止するために、前記コンソール上のカムに給電することを含む、項目２４に記載の方法。
（項目３２）
管類セットが前記コンソール上に搭載された後、前記管類セット内の流体の状態を感知することをさらに含む、項目２４に記載の方法。
（項目３３）
感知することは、前記カセットが前記ロータポンプコンソール上に搭載されるとき、前記カセットの第１および第２の可撓性管のうちの少なくとも１つの上の感知窓を整合させることを含む、項目３１に記載の方法。
（項目３４）
感知することは、前記カセットが前記コンソール上に搭載されるとき、圧力センサに近接して置かれるように位置付けられる、前記少なくとも１つの可撓性管の壁に形成された圧力応答領域を含む圧力感知窓を通して、圧力センサを用いて圧力を感知することを含む、項目３２に記載の方法。
（項目３５）
前記カセットが前記コンソール上に搭載される際、前記カセット上の電気接触アレイとコンソールロック上の電気接触アレイとの間に電気接触を形成することをさらに含む、項目２４に記載の方法。
（項目３６）
前記カセット上の電気接触アレイは、前記カセットが前記コンソール上に搭載されるとき、前記コンソールが前記カセットを認識することを可能にするカセット識別情報を含む、項目３４に記載の方法。
（項目３７）
前記コンソールに結合された伸長柱に流体バッグを懸下し、荷重センサを用いて前記バッグ内の流体の含有量を計量することをさらに含む、項目２４に記載の方法。